(57)【要約】【解決手段】底部２と該底部を囲むように配設された側壁３、４とからなる運搬用コンテナーにおいて、底部の裏面に、物品が載置された際に、下方に膨出する底部の膨出部を内包する大きさを有する凹部６０を配設したものである。【効果】底部の裏面に、物品が載置された際に、下方に膨出する底部の膨出部を内包する大きさを有する凹部を形成したので、収容された物品の重量に起因する底部の下方への膨出が、凹部を越えて発生するようなことがなく、従って、運搬用コンテナーを、荷台や床やローラーコンベヤ等に、安定した状態で載置することができる。【選択図】図２
2004161310.tif 000002
【特許請求の範囲】
【請求項１】
底部と該底部を囲むように配設された側壁とからなる運搬用コンテナーにおいて、底部の裏面に、物品が載置された際に、下方に膨出する底部の膨出部を内包する大きさを有する凹部が配設されていることを特徴とする運搬用コンテナー。
【請求項２】
凹部を形成する輪郭が、底部の嵌合部を構成する所定の交差リブ及び交差リブの交差部を結ぶ仮想線により構成されていることを特徴とする請求項１に記載の運搬用コンテナー。
【発明の詳細な説明】
【０００１】
【発明の属する技術分野】
本発明は、種々の物品の保管、輸送或いは搬送等に使用される運搬用コンテナーに関するものである。
【０００２】
【従来の技術】
図３〜図６を用いて、従来の運搬用コンテナーの一例としての折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図３に示されている箱型状態の折り畳みコンテナーの略垂直状のはね上げ側壁３を、折り畳みコンテナーの内部方向に回動させて、図４に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図５に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
底部２は、平面形状が略長方形状で、上面が平坦な底板部２ａと、底板部２ａの周縁を囲むように、且つ、底板部２ａに対して略垂直に立設された周枠（以下、底部側周枠という。）２ｂとを有している。また、底板部２ａの裏面には、底板部２ａの周縁から所定の幅を隔てて内側に配設された、底板部２ａに対して略垂直に垂下された嵌合周枠５ａが形成されており、嵌合周枠５ａ内には、互いに交差する交差リブ５ｂが、底板部２ａの裏面から垂下されている。嵌合周枠５ａと交差リブ５ｂとにより、嵌合部５が構成されている。箱型に組み立てられた折り畳みコンテナー同士を、段積みした際に、下に位置する折り畳みコンテナーの開口部に、上に位置する折り畳みコンテナーの底部２の裏面に形成された嵌合部５が嵌合され、下に位置する折り畳みコンテナーに対する上に位置する折り畳みコンテナーの水平移動が制限され、従って、安定した状態で段積みを行うことができるように構成されている。
【０００６】
上述した嵌合部５の裏面中央部に、裏面形状が、嵌合周枠５ａに沿った長方形状の凹部６が形成されている折り畳みコンテナーが知られている（例えば、特開平１１−３５０３４号公報）。このように、嵌合部５の裏面中央部に、上記のような凹部６を形成することにより、収容された物品の重量により、底部２の中央部が下方に膨出しても、膨出部が、凹部６を越えて、下方に突出しないように構成されている。膨出部が、凹部６を越えて、下方に突出すると、全体として、底部２の中央部に下方に湾曲した膨出部が形成され、安定した状態で、折り畳みコンテナーを、荷台や床やローラーコンベヤ等に載置することができないことになる。
【０００７】
【発明が解決しようとする課題】
上述した従来の折り畳みコンテナーにおいては、収容された物品の重量により、底部２の中央部が下方に膨出しないように、嵌合部５の裏面中央部に凹部６が形成されているが、凹部６の裏面形状が長方形であり、収容された物品の重量により、略楕円形状に変形する底部２の下方への膨出に対応することができず、収容された物品の重量に起因する底部２の下方への膨出が、凹部６を越えて発生するという問題があった。
【０００８】
本発明の目的は、上述した従来の運搬用コンテナーが有する課題を解決することにある。
【０００９】
【課題を解決するための手段】
本発明は、上述した目的を達成するために、底部と該底部を囲むように配設された側壁とからなる運搬用コンテナーにおいて、第１には、底部の裏面に、物品が載置された際に、下方に膨出する底部の膨出部を内包する大きさを有する凹部を配設したものであり、第２には、凹部を形成する輪郭を、底部の嵌合部を構成する所定の交差リブ及び交差リブの交差部を結ぶ仮想線により構成したものである。
【００１０】
【実施例】
以下に、主として、図１及び図２を用いて、本発明の実施例について説明するが、本発明の趣旨を越えない限り何ら、本実施例に限定されるものではない。また、本発明の運搬用コンテナーの一例としての折り畳みコンテナーは、底部、特に、嵌合部の構成が相違する以外は、実質的に、上述した従来の運搬用コンテナーの一例としての折り畳みコンテナーと同じ構成を有しているので、同じ構成部材については、同じ符号を使用するとともに、その詳細な説明は省略する。
【００１１】
本実施例においても、底部２を構成する底板部２ａの裏面には、底板部２ａの周縁から所定の幅を隔てて内側に配設された、底板部２ａに対して略垂直に垂下された嵌合周枠５ａが形成されており、嵌合周枠５ａ内には、互いに交差する交差リブ５ｂが、底板部２ａの裏面から垂下されており、上記の嵌合周枠５ａと交差リブ５ｂとにより、嵌合部５が構成されている。
【００１２】
底板部２ａの裏面に形成された、嵌合部５を構成する嵌合周枠５ａは、底部側周枠２ｂを構成する長辺枠部２ｂ１に平行な嵌合部長辺枠部５ａ１と、底部側周枠２ｂを構成する短辺枠部２ｂ２に平行な嵌合部短辺枠部５ａ２とにより構成されており、嵌合周枠５ａの裏面形状は、底板部２ａと略相似形の長方形状に形成されている。また、嵌合部５を構成する交差リブ５ｂは、嵌合周枠５ａの相対する嵌合部長辺枠部５ａ１の一方の嵌合部長辺枠部（図２において、上方に位置する嵌合部長辺枠部）５ａ１から、嵌合周枠５ａの相対する嵌合部短辺枠部５ａ２の一方の嵌合部短辺枠部（図２において、左側に位置する嵌合部短辺枠部）５ａ２に近づくように傾斜しているとともに、互いに平行な複数の交差リブ（図２において、左下がりの交差リブで、以下、便宜的に、左下がり交差リブという。）５ｂ１と、嵌合周枠５ａの相対する嵌合部長辺枠部５ａ１の一方の嵌合部長辺枠部５ａ１から、嵌合周枠５ａの相対する嵌合部短辺枠部５ａ２のもう一方の嵌合部短辺枠部（図２において、右側に位置する嵌合部短辺枠部）５ａ２に近づくように傾斜しているとともに、互いに平行な複数の交差リブ（図２において、右下がりの交差リブで、以下、便宜的に、右下がり交差リブという。）５ｂ２とから構成されている。
【００１３】
本実施例においては、左下がり交差リブ５ｂ１と右下がり交差リブ５ｂ２とは、互いに、嵌合周枠５ａの相対する嵌合部長辺枠部５ａ１において、その先端が当接するように構成されており、この当接部を、長辺枠部側当接部Ｐ１という。また、左下がり交差リブ５ｂ１と右下がり交差リブ５ｂ２との交差部には、符号Ｐ２が付されている。嵌合部５には、嵌合周枠５ａと左下がり交差リブ５ｂ１と右下がり交差リブ５ｂ２とにより、嵌合周枠５ａに沿った三角形状区画部Ａ１が形成されており、また、左下がり交差リブ５ｂ１と右下がり交差リブ５ｂ２とりより、方形状区画部Ａ２が形成されており、更に、三角形状区画部Ａ１と方形状区画部Ａ２の配置は、嵌合部長辺枠部５ａ１に平行な中心線Ｌ１を挟んで、対称（線対称）に形成されている。
【００１４】
嵌合部５の裏面中央部に形成されている凹部６０は、その裏面形状が、六角形以上の偶数多角形に形成されているとともに、嵌合部長辺枠部５ａ１に平行な中心線Ｌ１を挟んで、対称（線対称）に形成されている。
【００１５】
以下に、嵌合部５の裏面中央部に形成されている凹部６０の詳細について説明するが、一例として、その裏面形状が、六角形の場合について説明する。
【００１６】
六角形の凹部６０の輪郭６０ａは、嵌合周枠５ａの相対する嵌合部長辺枠部５ａ１に平行な相対する辺（以下、単に、長辺枠部側輪郭部という。）６０ａ１と、左下がり交差リブ５ｂ１に平行な相対する辺（以下、単に、左下がり輪郭部という。）６０ａ２と、右下がり交差リブ５ｂ２に平行な相対する辺（以下、単に、右下がり輪郭部という。）６０ａ３とから構成されている。
【００１７】
六角形の凹部６０の輪郭６０ａを構成する長辺枠部側輪郭部６０ａ１は、嵌合部長辺枠部５ａ１に平行な仮想線Ｌ２上に位置する交差部Ｐ２（符号Ｐ２’が付されている。）を通過するように構成されているとともに、輪郭６０ａを構成する左下がり輪郭部６０ａ２は、所定位置の左下がり交差リブ５ｂ１（符号５ｂ１’が付されている。）に一致し、更に、輪郭６０ａを構成する右下がり輪郭部６０ａ３は、所定位置の右下がり交差リブ５ｂ２（符号５ｂ２’が付されている。）に一致するように構成されている。
【００１８】
嵌合部５の裏面中央部に形成されている六角形の凹部６０の輪郭６０ａの内側には、六角形の凹部６０と相似形であって、且つ、左下がり交差リブ５ｂ１及び右下がり交差リブ５ｂ２の高さ（底部２の底板部２ａからの長さ）Ｈ１が、凹部６０以外、即ち、輪郭６０ａの外側に位置する左下がり交差リブ５ｂ１と右下がり交差リブ５ｂ２の高さ（底部２の底板部２ａからの長さ）Ｈ２より低い、左下がり交差リブ５ｂ１及び右下がり交差リブ５ｂ２の下端を結ぶことにより形成された凹部６０の仮想平坦天部６０’が形成されている。
【００１９】
上述した凹部６０の仮想平坦天部６０’の輪郭６０ａ’も、上述した凹部６０の輪郭６０ａと同様に、嵌合部長辺枠部５ａ１に平行な相対する辺と、左下がり交差リブ５ｂ１に平行な相対する辺と、右下がり交差リブ５ｂ２に平行な相対する辺とから構成されている。そして、凹部６０の仮想平坦天部６０’の輪郭６０ａ’を構成する嵌合部長辺枠部５ａ１に平行な辺も、上述した長辺枠部側輪郭部６０ａ１と同様に、交差部Ｐ２を通過するように構成されているとともに、凹部６０の仮想平坦天部６０’の輪郭６０ａ’を構成する左下がり交差リブ５ｂ１に平行な辺も、上述した左下がり輪郭部６０ａ２と同様に、所定位置の左下がり交差リブ５ｂ１に一致し、更に、凹部６０の仮想平坦天部６０’の輪郭６０ａ’を構成する右下がり交差リブ５ｂ２に平行な辺も、上述した右下がり輪郭部６０ａ３と同様に、所定位置の右下がり交差リブ５ｂ２に一致するように構成されている。
【００２０】
六角形の凹部６０の輪郭６０ａと、該輪郭６０ａと相似形の仮想平坦天部６０’の輪郭６０ａ’との間には、傾斜領域６０”が形成されている。この傾斜領域６０”は、傾斜領域６０”内に位置する左下がり交差リブ５ｂ１と右下がり交差リブ５ｂ２とを、六角形の凹部６０の輪郭６０ａから、六角形の仮想平坦天部６０’の輪郭６０ａ’に向かって下方に傾斜させて、左下がり交差リブ５ｂ１に傾斜部５ｃ１を形成し、また、右下がり交差リブ５ｂ２に傾斜部５ｃ２を形成することにより構成されている。
【００２１】
上述したような構成を有する嵌合部５の裏面中央部に形成されている六角形の凹部６０の大きさは、箱型に組み立てられた折り畳みコンテナーに収容される物品の総重量により異なるが、生産工場や組み立て工場等においては、所定の折り畳みコンテナーに収容される物品の総重量は、略一定しており、また、物品の総重量が、底部に、略均等に加わった場合には、底部２の下方への膨出部の裏面形状は、その長径が、平面形状が略長方形状の底部２の長辺に略平行な略楕円形状（図２において、点線で示されている。）になる。従って、嵌合部５の裏面中央部に形成されている六角形の凹部６０の大きさは、上記の略楕円形状の膨出部を内包する大きさとする。このように構成することにより、収容された物品の重量に起因する底部２の下方への膨出が、凹部６０を越えて発生するようなことがなく、従って、運搬用コンテナーを、荷台や床やローラーコンベヤ等に、安定した状態で載置することができる。
【００２２】
本実施例においては、左下がり交差リブ５ｂ１及び右下がり交差リブ５ｂ２と、嵌合部長辺枠部５ａ１とのなす角θが、共に、略４５度に形成されているが、左下がり交差リブ５ｂ１が嵌合部長辺枠部５ａ１に略直交し、また、右下がり交差リブ５ｂ２が嵌合部短辺枠部５ａ２に略直交すると、凹部６０の輪郭６０ａを構成する左下がり輪郭部６０ａ２や右下がり輪郭部６０ａ３を、左下がり交差リブ５ｂ１や右下がり交差リブ５ｂ２と一致させることができず、左下がり輪郭部６０ａ２や右下がり輪郭部６０ａ３が、左下がり交差リブ５ｂ１や右下がり交差リブ５ｂ２の交差部Ｐ２間に位置することになるので、傾斜領域６０”の強度や剛性が低下するので好ましくない。
【００２３】
なお、上述した実施例には、嵌合部５の裏面中央部に形成されている凹部６０の裏面形状が、六角形以上の偶数多角形に形成されている例が示されているが、上述した略楕円形状（図２において、点線で示されている。）の膨出部を内包する大きさであれば、六角形以上の偶数多角形に限定されるものではなく、底部側周枠２ｂを構成する長辺枠部２ｂ１及び短辺枠部２ｂ２に角部が位置する菱形に形成することもできる。また、底部２や左下がり交差リブ５ｂ１や右下がり交差リブ５ｂ２の肉厚を厚くしたために、傾斜領域６０”の強度や剛性、ひいては、底部２の強度や剛性が、特に、問題にならない場合には、凹部６０の輪郭６０ａが、左下がり交差リブ５ｂ１や右下がり交差リブ５ｂ２の交差部Ｐ２間に位置してもかまわないので、この場合には、嵌合部５の裏面中央部に形成されている凹部６０の裏面形状を、上述した略楕円形状（図２において、点線で示されている。）の膨出部を内包する大きさの楕円とすることもできる。
【００２４】
上述したように、嵌合部５の裏面中央部に形成されている凹部６０の裏面形状を、底部側周枠２ｂを構成する長辺枠部２ｂ１及び短辺枠部２ｂ２に角部を位置する菱形に形成した場合には、凹部６０の角部が、上述した六角形以上の偶数多角形に比べて、長辺枠部２ｂ１及び短辺枠部２ｂ２に、より近づくことになり、必要以上に、凹部６０の面積が大きくなり、従って、底部２、ひいては、運搬用コンテナーの強度や剛性が低下するので、凹部６０の裏面形状を、六角形以上の偶数多角形に形成することが好ましい。
【００２５】
なおまた、底部と、底部の相対する一方の辺部にヒンジ連結された相対する一方の側壁と、底部の相対するもう一方の辺部にヒンジ連結された相対するもう一方の側壁とからなり、底部に対して、側壁を、略垂直に立てることにより箱型に組み立てられ、また、略垂直状態の一方の側壁を、底部に重なるように倒し、次いで、略垂直状態のもう一方の側壁を、先に倒され、底部に重ねられている一方の側壁に、重なるように倒すことにより、高さの低いコンパクトな状態に折り畳みコンテナー可能な折り畳みコンテナーに適用することもできる。また、側壁が、底部に対して固定的に取着されていて、側壁を倒すことができない、所謂、ボックスコンテナーに適用することもできる。
【００２６】
【発明の効果】
本発明は、以上説明したように構成されているので、以下に記載されるような効果を奏する。
【００２７】
底部の裏面に、物品が載置された際に、下方に膨出する底部の膨出部を内包する大きさを有する凹部を配設したので、収容された物品の重量に起因する底部の下方への膨出が、凹部を越えて発生するようなことがなく、従って、運搬用コンテナーを、荷台や床やローラーコンベヤ等に、安定した状態で載置することができる。
【００２８】
凹部を形成する輪郭が、底部の嵌合部を構成する所定の交差リブ及び交差リブの交差部を結ぶ仮想線により構成されているので、凹部を構成するリブの強度や剛性が向上し、ひいては、底部の強度や剛性が向上する。
【図面の簡単な説明】
【図１】図１は本発明の運搬用コンテナーの一例としての折り畳みコンテナーの底部の裏面斜視図である。
【図２】図２は図１に示されている底部の裏面図である。
【図３】図３は従来の運搬用コンテナーの一例としての折り畳みコンテナーが箱型に組み立てられた状態の斜視図である。
【図４】図４は図３に示されている折り畳みコンテナーの組み立て途中或いは折り畳み途中の斜視図である。
【図５】図５は図３に示されている折り畳みコンテナーが折り畳まれた状態の斜視図である。
【図６】図６は図３に示されている折り畳みコンテナーの底部の裏面斜視図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５・・・・・・・・嵌合部
６０・・・・・・・凹部
６０ａ・・・・・・輪郭
【図１】
2004161310.tif 000003
【図２】
2004161310.tif 000004
【図３】
2004161310.tif 000005
【図４】
2004161310.tif 000006
【図５】
2004161310.tif 000007
【図６】
2004161310.tif 000008